(57)【要約】【課題】本発明は、刈草を効率よく集草容器に収納可能な草刈機を提供することを目的とする。【解決手段】草刈機は、走行機体１０と、走行機体１０に支持されたモーアユニット６と、走行機体１０に支持され、モーアユニット６により刈られた刈草が収納される集草容器１００と、モーアユニット６と集草容器１００に亘って設けられ、刈草が通過する搬送ダクト１２０と、搬送ダクト１２０の集草容器１００側の端部に対応する集草容器１００の投入口１０２に対向する位置において、集草容器１００内に設けられ、刈草を案内する案内部材１３０と、案内部材１３０の姿勢を変更する姿勢変更機構１３１と、を備える。【選択図】図１
2019208477.tif 000002
【特許請求の範囲】
【請求項１】
走行機体と、
前記走行機体に支持されたモーアユニットと、
前記走行機体に支持され、前記モーアユニットにより刈られた刈草が収納される集草容器と、
前記モーアユニットと前記集草容器に亘って設けられ、前記刈草が通過する搬送ダクトと、
前記搬送ダクトの集草容器側の端部に対応する前記集草容器の投入口に対向する位置において、前記集草容器内に設けられ、前記刈草を案内する案内部材と、
前記案内部材の姿勢を変更する姿勢変更機構と、を備える草刈機。
【請求項２】
前記案内部材の姿勢を変更することにより、前記集草容器の投入口と前記案内部材との間隔を変更可能である、請求項１に記載の草刈機。
【請求項３】
前記搬送ダクトの集草容器側の端部が、前記集草容器の前面壁に形成された前記投入口に接続され、前記案内部材が前記集草容器の投入口の後方に設けられ、
前記姿勢変更機構は、前記案内部材を前記走行機体の幅方向に延びる回動軸心周りに回動可能に支持する、請求項１または２に記載の草刈機。
【請求項４】
前記集草容器には、当該集草容器内から外部に空気を流通させる空気流通部が設けられ、
当該空気流通部を流通する風量を調整する風量調整機構が設けられている、請求項１から３のいずれか１項に記載の草刈機。
【発明の詳細な説明】
【技術分野】
【０００１】
本発明は、自走しながら草（芝）等を刈り取り、機体に装備されている集草容器に収納する草刈機に関する。
【背景技術】
【０００２】
特許文献１には、自走しながら草（芝）等を刈り取り、走行機体の後方に備えられている集草容器に刈り取った草等を収納する草刈機が開示されている。特許文献１の草刈機は、走行機体の下部に設けられたモーアユニットを備えており、モーアユニット内のブレードユニットを回転駆動させることで草地や芝地の草刈りを行う。刈草は、搬送ダクトを通じて集草容器に収納される。集草容器は、例えば概ね箱状の容器であり、搬送ダクトは集草容器の例えば上部に接続されている。よって、搬送ダクトを介して搬送された刈草は、集草容器の上部の開口から次々と集草容器内に投入され、集草容器内に収納される。
【先行技術文献】
【特許文献】
【０００３】
【特許文献１】特開２０１５−９２８４４号公報
【発明の概要】
【発明が解決しようとする課題】
【０００４】
特許文献１の草刈機では、集草容器の上部の開口から刈草が投入されるものの、次々に投入される刈草の重力により集草容器内の底部の任意の位置に堆積されていく。よって、集草容器のうち搬送ダクトに近い側に刈草が次々と堆積した場合には、集草容器の後方、つまり集草容器の奥側に刈草が収納されていない領域が存在しても、集草容器の開口が塞がってしまう。この場合、集草容器が満杯ではないにも関わらず、搬送ダクトから集草容器への刈草の導入が困難となる。
【０００５】
そこで、本発明は、刈草を効率よく集草容器に収納可能な草刈機を提供することを目的とする。
【課題を解決するための手段】
【０００６】
本発明に係る草刈機の特徴構成は、
走行機体と、
前記走行機体に支持されたモーアユニットと、
前記走行機体に支持され、前記モーアユニットにより刈られた刈草が収納される集草容器と、
前記モーアユニットと前記集草容器に亘って設けられ、前記刈草が通過する搬送ダクトと、
前記搬送ダクトの集草容器側の端部に対応する前記集草容器の投入口に対向する位置において、前記集草容器内に設けられ、前記刈草を案内する案内部材と、
前記案内部材の姿勢を変更する姿勢変更機構と、を備える点にある。
【０００７】
上記構成によれば、モーアユニットからの刈草は、搬送ダクトを通って集草容器の投入口から集草容器内に導入される際に、案内部材によって流れを制御される。この案内部材は、姿勢変更機構によって姿勢が変更可能に構成されているため、集草容器内での刈草の流れを制御できる。案内部材の姿勢を変更して刈草の流れが制御されることで、集草容器の投入口から離れた、より奥側から順次に刈草を収納することができる。よって、集草容器内に刈草を収納する空間が残った状態で、集草容器の投入口が塞がってしまう事態を抑制できる。
【０００８】
また、案内部材の姿勢が変更可能であるため、例えば刈草の状態によって案内部材の姿勢を調整できる。例えば、刈草が湿った状態であり質量が重い場合には、搬送ダクトからの刈草の流れに沿うように案内部材の姿勢が調整される。例えば、案内部材は、集草容器の天面壁に沿うように姿勢が変更される。これにより、刈草の流れが案内部材により阻害されにくくなる。よって、刈草が湿った状態でも、刈草が集草容器のより奥側から順次に収納される。一方、例えば、刈草が乾燥した状態であり質量が軽い場合には、案内部材は、搬送ダクトからの刈草が案内部材に衝突しつつ、刈草が集草容器のより奥側から順次に収納されるように、その姿勢が調整される。例えば、案内部材の板面と集草容器の投入口の投入面とが概ね平行になるように、案内部材の姿勢が調整される。このとき、投入口からの刈草及び風の向きと、案内部材の板面とが交差するように案内部材の姿勢が調整される。好ましくは、案内部材の板面の上下方向の向きが、上から下に向かうにつれて集送容器の奥側に向かうように調整される。よって、刈草が乾燥した状態であっても、集草容器内での対流を抑制し、刈草が集草容器のより奥側から順次に収納される。そのため、刈草を効率よく集草容器に収納できる。
【０００９】
本発明に係る草刈機の更なる特徴構成は、前記案内部材の姿勢を変更することにより、前記集草容器の投入口と前記案内部材との間隔を変更可能である点にある。
上記構成によれば、集草容器の投入口と案内部材との間隔を変更可能であるので、刈草の流れを調整でき、刈草が集草容器のより奥側から順次に収納されるように調整できる。
【００１０】
本発明に係る草刈機の更なる特徴構成は、
前記搬送ダクトの集草容器側の端部が、前記集草容器の前面壁に形成された前記投入口に接続され、前記案内部材が前記集草容器の投入口の後方に設けられ、
前記姿勢変更機構は、前記案内部材を前記走行機体の幅方向に延びる回動軸心周りに回動可能に支持する点にある。
【００１１】
上記構成によれば、案内部材が、走行機体の幅方向に延びる回動軸心周りに回動可能であるので、搬送ダクトから集草容器に導入される刈草と案内部材との接触の程度を調整できる。また、案内部材の姿勢の変更を、回動という簡単な機構で達成できる。
【００１２】
本発明に係る草刈機の更なる特徴構成は、
前記集草容器には、当該集草容器内から外部に空気を流通させる空気流通部が設けられ、
当該空気流通部を流通する風量を調整する風量調整機構が設けられている点にある。
【００１３】
上記構成によれば、空気流通部が設けられているため、刈草を集草容器まで搬送した風を空気流通部を介して集草容器の外部に逃すことができる。これにより、刈草を搬送した風が集草容器内で対流するのを抑制できるため、刈草の対流を抑制して集草容器に収納できる。
また、空気流通部には風量調整機構が設けられているため、空気流通部を介して集草容器の外部に排出される風の量を調整できる。これにより、例えば、集草容器内に刈草を効率よく収納可能な程度に、集草容器の外部に逃す風の量を調整することができる。
【図面の簡単な説明】
【００１４】
【図１】草刈機の全体を示す側面図である。
【図２】草刈機の全体を示す上面図である。
【図３】集草容器に設けられた空気流通部及び風量調整機構を模式的に示す模式図である。
【図４】別の形態に係る草刈機の全体を示す側面図である。
【発明を実施するための形態】
【００１５】
［実施形態］
本発明による草刈機の具体的な実施形態を説明する前に、図１、図２を用いて本発明を特徴付けている基本的な構成を簡単に説明する。なお、特に断り書きがない限り、この明細書で記載されている前後方向は乗用草刈機の走行方向である機体の長手方向を意味しており、横方向（横断方向）または左右方向は機体長手方向に対して水平に横断する方向を意味しており、上下方向または高さ方向は地面ないしは機体水平面に対する法線方向を意味している。
【００１６】
図１、図２で示された草刈機では、走行機体１０の前後方向に延びる機体フレーム２が設けられている。走行機体１０の機体フレーム２は横幅の広い前フレーム２１と横幅の狭い後フレーム２２とで構成されている。前フレーム２１及び後フレーム２２は、機体前後方向に延びる左右一対の縦ビームと縦ビームを連結するクロスビームとからなる。前フレーム２１の横幅（左右の縦ビームの間隔）は後フレーム２２の横幅より大きく、平面視で後フレーム２２の前部は前フレーム２１の後部に入り込んでおり、図示されていない連結部材によって互いに連結されている。
【００１７】
機体フレーム２の前方及び後方それぞれには、左右一対の前輪１１（左前輪１１ａ、右前輪１１ｂ）と左右一対の後輪１２（左後輪１２ａ、右後輪１２ｂ）とが設けられており、機体フレーム２は、これら前輪１１及び後輪１２によって対地支持されている。一対の前輪１１は前輪連結アーム２３により連結されており、一対の後輪１２は後輪連結アーム（図示せず）により連結されている。図１で模式的に示されている草刈機は、ミッドマウント式ゼロターンモーアと称される草刈機であり、後輪１２が回転駆動され、前輪１１は後輪１２の回転駆動に応じて回転する。
【００１８】
機体フレーム２の前部には運転部５が配置されている。運転部５の後部には、エンジンルームを構成するボンネット１６が設けられており、ボンネット１６内にはエンジン３が配置されている。そして、エンジン３の前方やや下側にトランスミッション４が配置されている。ボンネット１６内には、さらに、エンジン３の前方に向かって冷却ファン３３及びラジエータ３１が順に設けられている。また、ボンネット１６内には、機体前後方向に沿うように配置されたマフラー３６０が設けられており、前方から流入した排気ガスを後方に流出させる。
【００１９】
また、機体フレーム２の前輪１１と後輪１２との間からは、草（芝）等を刈り取るモーアユニット６がリンク機構１４を介して機体フレーム２から吊り下げられている。運転部５の後部にロプス装置１３が設けられており、ロプス装置１３の後部にはモーアユニット６で刈り取った刈草を搬送する搬送ダクト１２０が設けられている。搬送ダクト１２０の後部には縦支柱１１０が設けられており、エンジン３の上部に位置するように縦支柱１１０に支持された集草容器１００が設けられている。
【００２０】
運転部５には、左右一対の変速レバー５１と運転座席５３とが設けられている。運転座席５３は、機体フレーム２の上の座席支持体５２に固定されている。座席支持体５２の左右側面にはフェンダ１７が形成されている。フェンダ１７の上面には操作パネル８が設けられている。フェンダ１７の下方には燃料タンク１８がそれぞれ配備されている。運転座席５３の足元領域にはステップ５０が、前フレーム２１の上に敷設されている。ステップ５０の前領域の中央近くにはブレーキペダル１９１が配置されている。ブレーキペダル１９１の横側には、ブレーキペダル１９１を踏込み位置に保持する駐車用のブレーキロックペダル１９２が配置されている。
【００２１】
トランスミッション４は、エンジン３の動力を前輪１１及び後輪１２に伝達する。トランスミッション４には、走行機体１０の左側の左後車軸伝動部４ａと、走行機体１０の右側の右後車軸伝動部４ｂが含まれている。左後車軸伝動部４ａと右後車軸伝動部４ｂのそれぞれには、独立して操作可能な静油圧式変速機構（ＨＳＴ）が無段変速機構の一例として内装されている。
【００２２】
静油圧式変速機構は、エンジン動力を正転（前進）状態及び逆転（後進）状態で、低速から高速まで無段階に変更して、後輪ユニットの左右それぞれの後輪１２に伝達することができる。これにより、左右の後輪１２の両方が同じまたはほぼ同じ速度で前進方向に駆動することで直進前進が作り出され、左右の後輪１２が同じまたはほぼ同じ速度で後進方向に駆動することで直進後進が作り出される。さらに、左右の後輪１２の速度を互いに異ならせることで、走行機体１０を任意の方向に旋回移動させることができ、例えば、左右の後輪１２のいずれか一方を零速に近い低速にさせ、他方の後輪１２を高速で前進側あるいは後進側に操作することで小回り旋回させることができる。さらに、左右の後輪１２を互いに逆方向に駆動することで、走行機体１０を左右の後輪１２のほぼ中央部を旋回中心としてスピンターンさせることもできる。前輪１１は、左右一対のキャスタ輪として構成され、縦軸芯周りで向きを自由に変更することができるので、左右の後輪１２駆動による走行方向に応じて向きが修正されることになる。
【００２３】
トランスミッション４のミッションケース４０の前壁からはモーアユニット６に動力を伝達するＰＴＯ軸４１が前方に突き出している。このＰＴＯ軸４１とモーアユニット６のＰＴＯ入力軸６１とは、ＰＴＯ中継軸６２を介して接続されている。
【００２４】
運転座席５３の両側に配置された左右一対の変速レバー５１を操作することで、トランスミッション４に対する変速操作、特に左後車軸伝動部４ａと右後車軸伝動部４ｂに対する変速操作が行われる。変速レバー５１を前後中立位置に保持すると無段変速装置が中立停止状態となり、変速レバー５１を中立位置から前方に操作することで前進変速が実現し、後方に操作することで後進変速が実現する。
【００２５】
ロプス装置１３は、運転座席５３の後方に設けられており、左右一対の支柱１３ａと支柱１３ａの上端をつなぐ横部材１３ｂとを有する。支柱１３ａは中間で揺動式に折り曲げ可能となっている。支柱１３ａの下半分である脚部１３ａ２は、後フレーム２２の上端とほぼ同じ高さ位置で内側に屈曲し、前フレーム２１の後端に達するまで延びている。前フレーム２１の後端とロプス装置１３の脚部１３ａ２とは連結ブラケットを介して連結されている。支柱１３ａの上半分である直線状の支柱部１３ａ１は、脚部１３ａ２と、揺動連結部を介して垂直姿勢と横向き（または下向き）姿勢との間で揺動可能に連結されている。
【００２６】
モーアユニット６は、天井壁と天井壁の外周から下方の延びている周壁とからなるモーアデッキ６０を備えている。モーアデッキ６０は、左側ブレード６４１、中央ブレード６４２、右側ブレード６４３とからなるブレードユニットを備えている。このため、モーアデッキ６０には、横方向に並設された垂直軸心を有する第１回転軸６３１、第２回転軸６３２、第３回転軸６３３に、ＰＴＯ入力軸６１によって受け取られた動力を分配するベルト式の伝動ユニット６３が設けられている。伝動ユニット６３には、トランスミッション４からの動力が、ＰＴＯ軸４１、ＰＴＯ中継軸６２及びＰＴＯ入力軸６１を介して伝達される。第１回転軸６３１には左側ブレード６４１が、第２回転軸６３２には中央ブレード６４２が、第３回転軸６３３には右側ブレード６４３が取り付けられている。左側ブレード６４１と中央ブレード６４２と右側ブレード６４３とは、それぞれ平面視で、時計方向に回転する。
【００２７】
モーアユニット６は、リンク機構１４により、モーアデッキ６０が地面に接近している下降作業状態と、モーアデッキ６０が地面から上昇した上昇非作業状態との間を上下に揺動可能である。モーアユニット６を下降作業状態にして草刈機が走行するとともに、モーアユニット６のブレードユニットが回転駆動すると、草地や芝地の草刈りが行われる。その際、刈草はブレードユニットの駆動にともなって発生する風、又は別途のブロアにより発生する風によってモーアユニット６の側方上部に位置する排出カバー（図示せず）を通じて、搬送ダクト１２０送り込まれる。モーアユニット６の側方上部の排出カバーに接続された搬送ダクト１２０は、走行機体１０の後方に延びている。そして、搬送ダクト１２０は、走行機体１０の後方に延びた端部から、ロプス装置１３と縦支柱１１０との間に対応するように、走行機体１０の左右方向の中心部に向かって延び、集草容器１００の上方に向かって延び、集草容器１００に達している。そして、搬送ダクト１２０を介して集草容器１００に収納される。
【００２８】
図１〜図３に示すように、集草容器１００は、内部空間を有し、概ね直方体状である。集草容器１００は、図１に示すように、側方の一部から後方にかけて開口を有し、集草容器１００の主に前方側を構成する容器本体１０１と、容器本体１０１の開口を覆う蓋１０３とを有する。容器本体１０１と蓋１０３とにより構成される集草容器１００の内部空間の底壁１００ｃは、前方側よりも後方側がより下方となるように構成されている。また、容器本体１０１の前面壁１００ｄの上部には、搬送ダクト１２０から刈草が導入される投入口１０２が設けられている。よって、搬送ダクト１２０からの刈草は、集草容器１００上部の投入口１０２から導入され、集草容器１００内おいて後方側のより奥側に導入される。
【００２９】
集草容器１００の前側には縦支柱１１０が配置されており、集草容器１００の下端の後部にはブラケット１０４が設けられている。集草容器１００は、縦支柱１１０とブラケット１０４との間に延びる第１リンク機構１０５ａ、第２リンク機構１０５ｂ、第３リンク機構１０５ｃによって、揺動可能に支持されている。第３リンク機構１０５ｃは、ピストンロッド１０７に連結されており、ピストンロッド１０７の伸縮により前後及び上下に揺動する。このような第１〜第３リンク機構１０５ａ〜１０５ｃ、ピストンロッド１０７、ブラケット１０４及び縦支柱１１０等によって、集草容器１００は、縦支柱１１０に対して後方に揺動可能に支持されている。
例えば、搬送ダクト１２０から搬送される刈草等を集草容器１００に収納している場合には、容器本体１０１の後部の開口は蓋１０３によって閉状態となっている。一方、集草容器１００から刈草等を排出する場合には、容器本体１０１と蓋１０３とが互いに離隔し、容器本体１０１の開口が開状態となり、容器本体１０１内の刈草等が排出可能となる。
【００３０】
搬送ダクト１２０は、例えば図２に示すようにモーアデッキ６０の右側方に接続されており、走行機体１０の前後方向に沿って後方に延びるとともに、機体フレーム２の後方に配置されている集草容器１００の上部に向かって上方に延びている。さらに、搬送ダクト１２０は、集草容器１００の前面壁１００ｄに沿って左右方向に屈曲し、集草容器１００の上部に設けられた投入口１０２（集草容器の開口）に向かって延びている。具体的には、搬送ダクト１２０の前側下端はモーアデッキ６０に接続されており、搬送ダクト１２０の後側上端（搬送ダクトの集草容器側の端部）には、開口１２０ａが設けられている。この開口１２０ａは、集草容器１００の上部に設けられた投入口１０２（集草容器の開口）に対応して配置されているか、投入口１０２と連結されている。これにより、モーアユニット６により刈り取られた刈草は、モーアユニット６から搬送ダクト１２０を介して、集草容器１００に収納される。
【００３１】
集草容器１００内には、投入口１０２に対向する位置に、案内部材１３０が設けられている。案内部材１３０は、搬送ダクト１２０の開口１２０ａから風に乗って集草容器１００に導入される刈草の流れを制御する。案内部材１３０は、例えば板状部材である。また、案内部材１３０は、集草容器１００の投入口１０２の投入面と案内部材１３０の板状面とが対向するように配置されている。例えば、案内部材１３０は、集草容器１００の上部に位置する投入口１０２に対応して、集草容器１００の天面壁１００ａの内面から釣り下がる状態で配置されている。また、案内部材１３０は、搬送ダクト１２０からの風を受け、風向を変更可能な態様で集草容器１００内において投入口１０２側に設けられている。例えば、案内部材１３０は、搬送ダクト１２０の開口１２０ａからの風の風向と、案内部材１３０の板状面とが対向するように配置されていてもよい。
【００３２】
本実施形態では、案内部材１３０は、集草容器１００の左右幅方向に対応する幅を有する板状部材である。ただし、案内部材１３０の大きさはこれに限定されず、例えば、少なくとも搬送ダクト１２０の開口１２０ａに対応する大きさであってもよい。
上記の案内部材１３０が設けられることによって、搬送ダクト１２０から導入される風及び刈草の流れを制御できる。よって、例えば、集草容器１００の投入口１０２から離れた、より奥側から順次に刈草を収納することができ、刈草を効率よく集草容器１００に収納できる。
【００３３】
また、案内部材１３０は、好ましくは、姿勢変更機構１３１により姿勢が変更可能に構成されている。例えば、案内部材１３０は、図１の側面視において、集草容器１００の投入口１０２の投入面又は搬送ダクト１２０の開口１２０ａの開口面と、案内部材１３０の板状面とのなす角とが変更されることで姿勢が変更される。このとき、集草容器１００の投入口１０２と案内部材１３０との間隔が変更されると好ましい。
【００３４】
また、案内部材１３０の姿勢が変更されることで、搬送ダクト１２０から集草容器１００に導入される刈草と案内部材１３０との接触の程度を調整でき、集草容器１００内での刈草の流れを制御できる。このように案内部材１３０の姿勢を変更して刈草の流れが制御されることで、刈草を集草容器１００のより奥側から順次に収納することができる。よって、集草容器１００内に刈草を収納する空間が残った状態で、集草容器１００の開口が塞がってしまう事態を抑制できる。
【００３５】
また、案内部材１３０の姿勢が変更可能であるため、例えば刈草の状態によって案内部材１３０の姿勢を調整できる。例えば、刈草が湿った状態であり質量が重い場合には、搬送ダクト１２０からの刈草の流れに沿うように案内部材１３０の姿勢が調整される。例えば、案内部材１３０は、集草容器１００の天面壁１００ａに沿うように姿勢が変更される。これにより、刈草の流れが案内部材１３０により阻害されにくくなる。よって、刈草が湿った状態でも、刈草が集草容器１００のより奥側から順次に収納される。
一方、例えば、刈草が乾燥した状態であり質量が軽い場合には、案内部材１３０は、搬送ダクト１２０からの刈草が案内部材１３０に衝突しつつ、刈草が集草容器１００のより奥側から順次に収納されるように、その姿勢が調整される。例えば、案内部材１３０の板面と集草容器１００の投入口１０２の投入面とが概ね平行になるように、案内部材１３０の姿勢が調整される。このとき、投入口１０２からの刈草及び風の向きと、案内部材１３０の板面とが交差するように案内部材１３０の姿勢が調整される。好ましくは、案内部材１３０の板面の上下方向の向きが、上から下に向かうにつれて集草容器１００の奥側に向かうように調整される。この場合、乾燥した状態の刈草は、例えば、案内部材１３０の姿勢に沿って下方に向かうとともに、風に押されることでより集草容器１００のより奥側に向かう。よって、刈草が乾燥した状態であっても、集草容器１００内での対流を抑制し、刈草が集草容器１００のより奥側から順次に収納される。
【００３６】
姿勢変更機構１３１は、案内部材１３０の姿勢を変更可能であればその構成は限定されず、例えば、機体幅方向に延びる回動軸１３１により構成されていてもよい。この場合、案内部材１３０は、回動軸１３１の周りに回動可能に支持されている。これにより、案内部材１３０の姿勢の変更を、回動という簡単な機構で達成できる。
また、姿勢変更機構１３１は、例えば案内部材１３０を、走行機体１０の前後方向に移動可能な機構であってもよい。例えば、案内部材１３０は、集草容器１００の天面壁１００ａに前後方向に移動可能に支持されている。
【００３７】
図３に示すように、集草容器１００に、集草容器１００内から外部に空気を流通させる空気流通部１４０が設けられていると好ましい。空気流通部１４０は、集草容器１００の天面壁１００ａから後面壁１００ｂに亘る内壁と、仕切部材１４１との間の空間により形成されている。空気流通部１４０の前端は、搬送ダクト１２０からの空気が導入されるように、天面壁１００ａの前端よりも若干後方に位置している。仕切部材１４１は、当該内壁に沿って設けられており、空気流通部１４０を、集草容器１００の刈草が収納される収納空間１５０から分離している。このように空気流通部１４０が設けられていると、刈草を集草容器１００まで搬送した風を空気流通部１４０を介して集草容器１００の外部に逃すことができる。これにより、刈草を搬送した風が集草容器１００内で対流するのを抑制できるため、刈草の対流を抑制して集草容器１００に収納できる。
【００３８】
また、図３に示すように、空気流通部１４０に風量調整機構１４３が設けられていると好ましい。風量調整機構１４３は、例えば、天面壁１００ａから後面壁１００ｂに至る内面に沿って少なくとも１つ設けられている。風量調整機構１４３は、板状部材であり、一端が天面壁１００ａ及び後面壁１００ｂの内面のいずれかの箇所に取り付けられており、回動可能に構成されている。また、風量調整機構１４３は、空気流通部１４０を流れる風の抵抗を抑制できるように、その板状面が風に沿う方向に調整可能となっている。逆に、風量調整機構１４３の傾きを風の流れと交差するように調整することで、空気流通部１４０を流れる風の抵抗を大きくし、風量調整機構１４３から集草容器１００の外部に排出される風の量を抑えることもできる。これにより、例えば、集草容器１００内に刈草を効率よく収納可能な程度に、集草容器１００の外部に逃す風の量を調整することができる。
【００３９】
［別実施形態］
【００４０】
（１）上記実施形態では、ミッドマウント式ゼロターンモーアと称される草刈機を例に挙げて説明した。しかし、本発明は、ミッドマウント式ゼロターンモーアに限定されず、走行機体１０の前方においてモーアデッキを支持する草刈機にも適用できる。このような例について、図４を例に挙げて簡単に説明する。図４において、上記実施形態と同一の構成について同一の符号を付している。
図４に示すように、モーアユニット６は走行機体１０の前方に設けられている。モーアユニット６の側方の排出カバー（図示せず）に接続された搬送ダクト１２０は、走行機体１０の後方に延び、上記実施形態と同様に集草容器１００に達している。
【００４１】
（２）上記実施形態では、草刈機として、左右の後輪１２が独立して駆動制御可能なゼロターンモーアと呼ばれる草刈機が取り上げられたが、前輪１１を操向輪として左右の後輪１２がディファレンシャル機構で連結されている草刈機にも本発明は適用できる。
【００４２】
（３）上述した具体的な実施形態では、モーアユニット６には３つのブレードが備えられていたが、２つまたは４つ以上であってもよい。
【符号の説明】
【００４３】
６        ：モーアユニット
１０      ：走行機体
１００    ：集草容器
１３０    ：案内部材
１３１    ：姿勢変更機構
【図１】
2019208477.tif 000003
【図２】
2019208477.tif 000004
【図３】
2019208477.tif 000005
【図４】
2019208477.tif 000006